(57)【特許請求の範囲】
【請求項１】
治具であって、
蛍光灯灯具のソケットに取り付け可能な口金と、
蛍光灯を取り付け可能なソケットと、
前記口金と前記蛍光灯を取り付け可能なソケットとを電気的に接続する電線と、
電気測定機器のプローブを前記電線に電気的又は磁気的に接続させるために前記プローブを受け付けるプローブ受付部と
を備え、
前記プローブ受付部は、前記電線と電気的に接続されており前記治具の表面に露出している導電部と、前記電線と電気的に接続されているジャックとを有する、
治具。
【請求項２】
前記プローブ受付部は、前記治具に内蔵された前記電線を流れる電流を電流プローブにより測定可能とするための孔部を有する、請求項１に記載の治具。
【請求項３】
前記口金は、直管型蛍光灯灯具が有する２つのソケットに取り付け可能な第１口金及び第２口金を有し、
前記蛍光灯を取り付け可能なソケットは、直管型蛍光灯を取り付け可能な第１ソケット及び第２ソケットを有し、
前記治具は、
前記第１口金及び前記第１ソケットを含む第１部材と、前記第２口金及び前記第２ソケットを含む第２部材とを保持する保持部
をさらに備える、請求項１又は２に記載の治具。
【請求項４】
治具であって、
蛍光灯灯具のソケットに取り付け可能な口金と、
蛍光灯を取り付け可能なソケットと、
前記口金と前記蛍光灯を取り付け可能なソケットとを電気的に接続する電線と、
電気測定機器のプローブを前記電線に電気的又は磁気的に接続させるために前記プローブを受け付けるプローブ受付部と
を備え、
前記プローブ受付部は、前記治具に内蔵された前記電線を流れる電流を電流プローブにより測定可能とするための孔部と、前記電線と電気的に接続されているジャックとを有し、
前記口金は、直管型蛍光灯灯具が有する２つのソケットに取り付け可能な第１口金及び第２口金を有し、
前記蛍光灯を取り付け可能なソケットは、直管型蛍光灯を取り付け可能な第１ソケット及び第２ソケットを有し、
前記治具は、前記第１口金及び前記第１ソケットを含む第１部材と、前記第２口金及び前記第２ソケットを含む第２部材とを保持する保持部を備え、
前記孔部は、第１孔部及び第２孔部を含み、
前記ジャックは、第１ジャック及び第２ジャックを含み、
前記第１孔部は、前記第１部材における前記第１ソケットが配置されている面とは反対側の面に配置され、前記第２孔部は、前記第２部材における前記第２ソケットが配置されている面とは反対側の面に配置されており、
前記第１ジャックは、前記第１部材における前記第１口金が配置されている面とは反対側の面に配置され、前記第２ジャックは、前記第２部材における前記第２口金が配置されている面とは反対側の面に配置されている、
治具。
【請求項５】
前記保持部は、前記第１部材と前記第２部材との間の距離を変更可能に、前記第１部材と前記第２部材とを保持する、請求項３又は４に記載の治具。
【請求項６】
前記保持部は、前記第１部材と前記第２部材との間の距離を変更可能とする伸縮部を有する、請求項５に記載の治具。
【請求項７】
前記伸縮部はネジ構造を有する、請求項６に記載の治具。
【請求項８】
治具であって、
蛍光灯灯具のソケットに取り付け可能な口金と、
蛍光灯を取り付け可能なソケットと、
前記口金と前記蛍光灯を取り付け可能なソケットとを電気的に接続する電線と、
電気測定機器のプローブを前記電線に電気的又は磁気的に接続させるために前記プローブを受け付けるプローブ受付部と
を備え、
前記口金は、直管型蛍光灯灯具が有する２つのソケットに取り付け可能な第１口金及び第２口金を有し、
前記蛍光灯を取り付け可能なソケットは、直管型蛍光灯を取り付け可能な第１ソケット及び第２ソケットを有し、
前記治具は、前記第１口金及び前記第１ソケットを含む第１部材と、前記第２口金及び前記第２ソケットを含む第２部材とを保持する保持部を備え、
前記保持部は、前記第１部材と前記第２部材との間の距離を変更可能に、前記第１部材と前記第２部材とを保持し、
前記保持部は、前記第１部材と前記第２部材との間の距離を変更可能とする伸縮部を有し、
前記伸縮部は、蛇腹構造を有する
治具。
【請求項９】
前記プローブ受付部は、前記電線と電気的に接続されており、前記治具の表面に露出している導電部を有する、請求項８に記載の治具。
【請求項１０】
前記プローブ受付部は、前記電線と電気的に接続されているジャックを有する、請求項８に記載の治具。
【請求項１１】
前記プローブ受付部は、前記治具に内蔵された前記電線を流れる電流を電流プローブにより測定可能とするための孔部を有する、請求項８に記載の治具。
【請求項１２】
前記プローブ受付部は、前記電線と電気的に接続されているジャックをさらに有する、請求項１１に記載の治具。
【請求項１３】
前記保持部は、４Ｗから１１０Ｗの前記蛍光灯灯具の形状に合わせて伸縮可能である、請求項３から１１のいずれか一項に記載の治具。
【発明の詳細な説明】
【技術分野】
【０００１】
本発明は、治具に関する。
【０００２】
蛍光ランプの安定器の種類は、ランプ内の始動方式により、主にスタータ式（放電ランプ式）、ラピッド式、及びインバータ式（電子）の３つに分類される（非特許文献１及び非特許文献２を参照。）。安定器は、例えば、蛍光ランプの点灯に必要な放電をさせる為に蛍光ランプ内のフィラメントを予熱させる始動電圧の供給と、放電後の蛍光ランプの点灯に必要なランプ電流を制御する。また、例えば、ランプ点灯に適した電源仕様を生成する外部電源装置安定器を用いた発光ダイオードのＬＥＤ（Ｌｉｇｈｔ  Ｅｍｉｔｔｉｎｇ  Ｄｉｏｄｅ）ランプは交流電圧を直流電圧に整流した直流ランプ電流を制御し、また、冷陰極管のＣＣＦＬ（Ｃｏｌｄ  Ｃａｔｈｏｄｅ  Ｆｌｕｏｒｅｓｃｅｎｔ  Ｌａｍｐ）ランプにおいては、インバータ式（電子式）を用いてランプ電流を制御する。以下、総称して安定器と表記する。
【０００３】
安定器が故障すると、ランプのちらつき、点灯しない、異音や熱が発生するなどの事象が発生する場合がある。安定器には耐用年数が設定されているが、周囲温度や使用時間などの環境に左右されるため、日本照明協会やランプ製造メーカは、３年毎に専門店などによる点検を推奨している。しかし、安定器の故障による事象は、ランプや電線などの接続箇所の故障による事象と類似しており、事後の点検による保守交換が主流となっている。
【０００４】
ランプ灯具の事前点検は、無負荷での電圧、短絡電流と周波数測定を主流に安定器の種類別に試験内容が異なる。スタータ方式は、例えば、定格２次電圧や放電電圧の測定がなされる。ラピッド式及びＬＥＤ式は、例えば、定格２次電圧と２次短絡電流測定、電子式がなされ、ＣＣＦＬ式は前述を含め周波数測定がなされる。尚、ＬＥＤ式は直流電源で起動する。従来の点検は、実際に装着されているランプを取り外し、灯具を分解することによって実施されていた。
［先行技術文献］
［非特許文献］
［非特許文献１］ＩＷＡＳＡＫＩ  ＬＩＧＨＴＩＮＧ  ＨＡＮＤＢＯＯＫ、岩崎電気株式会社、インターネット＜ＵＲＬ：http://www.iwasaki.co.jp/info_lib/tech-data/light-source/pdf/fluorescent-tube.pdf＞
［非特許文献２］アカリセンター、株式会社カネデン、インターネット＜ＵＲＬ：http://www.akaricenter.com/＞
【発明の概要】
【発明が解決しようとする課題】
【０００５】
蛍光灯灯具の点検を効率的に行える治具を提供できることが望ましい。
【課題を解決するための手段】
【０００６】
本発明の第１の態様によれば、蛍光灯灯具のソケットに取り付け可能な口金と、蛍光灯を取り付け可能なソケットと、口金とソケットとを電気的に接続する電線と、電気測定器のプローブを電線に電気的又は磁気的に接続させるためにプローブを受け付けるプローブ受付部とを備える治具が提供される。
【０００７】
上記プローブ受付部は、上記電線と電気的に接続されており、上記治具の表面に露出している導電部を有してよい。上記プローブ受付部は、上記電線と電気的に接続されているジャックを有してよい。上記プローブ受付部は、上記治具に内蔵された上記電線を流れる電流を電流プローブにより測定可能とするための孔部を有してよい。上記プローブ受付部は、上記電線と電気的に接続されているジャックをさらに有してよい。
【０００８】
上記口金は、直管型蛍光灯灯具が有する２つのソケットに取り付け可能な第１口金及び第２口金を有してよく、上記ソケットは、直管型蛍光灯を取り付け可能な第１ソケット及び第２ソケットを有してよく、上記治具は、上記第１口金及び上記第１ソケットを含む第１部材と、上記第２口金及び上記第２ソケットを含む第２部材とを保持する保持部をさらに備えてよい。上記保持部は、上記第１部材と上記第２部材との間の距離を変更可能に、上記第１部材と上記第２部材とを保持してよい。上記保持部は、上記第部材と上記第２部材との間の距離を変更可能とする伸縮部を有してよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】治具１００の機能構成の一例を概略的に示す。
【図２】治具１００の一例を概略的に示す。
【図３】治具１００の一例を概略的に示す。
【図４】治具１００の一例を概略的に示す。
【図５】治具１００の一例を概略的に示す。
【図６】治具１００の内部の電気的な接続関係を概略的に示す。
【図７】治具１００の使用例を概略的に示す。
【図８】治具１００の使用例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、治具１００の機能構成の一例を概略的に示す。本実施形態に係る治具１００は、蛍光灯の灯具５００を点検するために用いられる。治具１００は、部材２００と、部材３００と、部材２００及び部材３００を保持する保持部４００とを備える。
【００１３】
部材２００は、灯具５００のソケット５２０に取り付け可能な口金２１０を有する。口金２１０は、ＧＸ１６ｔ−５形式、Ｇ１３形式、Ｒ１７ｄ形式、及びＲＸ１７ｄ形式などの任意の形式の口金であってよい。口金２１０の形式とは異なる形式のソケット５２０に取り付けられる場合、変換アダプタが用いられてよい。
【００１４】
部材２００は、蛍光灯６００を取り付け可能なソケット２２０を有する。蛍光灯６００は、灯具５００に取り付け可能なものであってよい。
【００１５】
部材２００は、口金２１０とソケット２２０とを電気的に接続する電線２５０を有する。部材２００は、電気測定機器のプローブを電線２５０に電気的又は磁気的に接続させるための、プローブを受け付けるプローブ受付部２３０を有する。プローブを電線２５０に電気的に接続させるとは、例えば、プローブと電線２５０との間に電気が流れるようにプローブと電線２５０とを接触させることであってよい。プローブを電線２５０に磁気的に接続させるとは、例えば、電流プローブが、電線２５０に流れる電流が形成する磁束をとらえることができるように、電流プローブを電線２５０に配置することであってよい。電気測定機器は、例えば、電流計、電圧計、及びオシロスコープなどである。
【００１６】
部材３００は、灯具５００のソケット５３０に取り付け可能な口金３１０を有する。口金３１０は、ＧＸ１６ｔ−５形式、Ｇ１３形式、Ｒ１７ｄ形式、及びＲＸ１７ｄ形式などの任意の形式の口金であってよい。口金３１０の形式とは異なる形式のソケット５３０に取り付けられる場合、変換アダプタが用いられてよい。部材３００は、蛍光灯６００を取り付け可能なソケット３２０を有する。
【００１７】
部材３００は、口金３１０とソケット３２０とを電気的に接続する電線３５０を有する。部材３００は、電気測定機器のプローブを電線３５０に電気的又は磁気的に接続させるための、プローブを受け付けるプローブ受付部３３０を有する。
【００１８】
受付部２３０は、電線２５０と電気的に接続されており、部材２００の表面に露出している導電部を有してよい。また、受付部３３０は、電線３５０と電気的に接続されており、部材３００の表面に露出している導電部を有してよい。
【００１９】
この場合、例えば、電圧計のプローブを受付部２３０の導電部及び受付部３３０の導電部に当接させることによって、灯具５００からの供給電圧を測定することができる。また、例えば、受付部２３０及び受付部３３０を短絡ケーブルで電気的に接続して、当該短絡ケーブルに対して電流プローブを用いることによって、灯具５００からの供給電流を測定することができる。
【００２０】
受付部２３０は、電線２５０と電気的に接続されているジャックを有してよい。また、受付部３３０は、電線３５０と電気的に接続されているジャックを有してよい。
【００２１】
この場合、ジャックにケーブルを接続することによって、電気測定器のプローブを当接させる位置を変更することができる。例えば、灯具５００が天井に配置されている場合に、天井から作業台までの距離に相当する長さを有するケーブルを受付部２３０のジャック及び受付部３３０のジャックのそれぞれに接続することによって、作業台の上で電圧測定を行うことができる。また、受付部２３０のジャックと、受付部３３０のジャックとに短絡ケーブルを接続して、当該短絡ケーブルに対して電流プローブを用いることによって、灯具５００からの供給電流を測定することもできる。
【００２２】
従来、天井に配置されている灯具を点検するときに、脚立に登って点検作業が行われる場合があったが、本実施形態に係る治具１００によれば、それに比べて、点検作業の安全性を高めることができ、点検作業を効率化することもできる。
【００２３】
保持部４００は、蛍光灯６００の長さに相当する長さを有してよい。保持部４００は、例えば、ポリカーボネートによって構成される。
【００２４】
保持部４００は、部材２００と部材３００との間の距離を変更可能に、部材２００及び部材３００を保持してもよい。例えば、保持部４００は、伸縮可能な部材によって構成される。
【００２５】
また、保持部４００は、部材２００と部材３００との間の距離を変更可能にする伸縮部を有してよい。伸縮部は、例えば、蛇腹構造を有する。また、伸縮部は、例えば、スライド構造を有する。また、伸縮部は、例えば、ネジ構造を有する。
【００２６】
保持部４００が、部材２００と部材３００との距離を変更可能に、部材２００及び部材３００を保持することによって、ソケット５２０とソケット５３０との間の距離が異なる様々な種類の灯具５００を容易に点検可能とすることができる。例えば、本実施形態に係る治具１００によれば、４Ｗから１１０Ｗの蛍光灯用の灯具５００の形状に合わせて伸縮可能であることにより、４Ｗから１１０Ｗの蛍光灯用の灯具５００のそれぞれを点検可能である。
【００２７】
蛍光灯６００をソケット２２０及びソケット３２０に取り付けていない状態で上述のような測定を行うことによって、無負荷での灯具５００の電気測定を実行することができる。そしてさらに、蛍光灯６００をソケット２２０及びソケット３２０に取り付けた状態で、電圧計のプローブを受付部２３０の導電部及び受付部３３０の導電部に当接させたり、受付部２３０のジャック及び受付部３３０のジャックに接続したケーブルに対して電気測定器を用いたりすることによって、有負荷での灯具５００の電気測定を実行することができる。特に、実際に灯具５００に取り付ける蛍光灯６００を、ソケット２２０及びソケット３２０に取り付けて測定を実行することによって、実際の使用状態を想定した電気測定を実行することができる。
【００２８】
受付部２３０は、部材２００に内蔵された電線２５０を流れる電流を電流プローブにより測定可能とするための孔部を有してもよい。また、受付部３３０は、部材３００に内蔵された電線３５０を流れる電流を電流プローブにより測定可能にするための孔部を有してもよい。孔部の大きさは、既存の電流プローブを孔部に挿入可能な大きさであってよい。
【００２９】
蛍光灯６００をソケット２２０及びソケット３２０に取り付けた状態で、孔部に電流プローブを挿入して、電線２５０を電流プローブで取り囲むことによって、有負荷での、灯具５００からの供給電流を測定することができる。
【００３０】
受付部２３０は、導電部及びジャックの少なくともいずれかと、孔部とを有してもよい。受付部３３０は、導電部及びジャックの少なくともいずれかと、孔部とを有してもよい。
【００３１】
なお、図１では、治具１００が受付部２３０及び受付部３３０を備える場合を例に挙げて説明したが、これに限らない。治具１００は、受付部２３０及び受付部３３０のいずれか一方のみを有してもよい。また、治具１００は、受付部２３０及び受付部３３０以外の追加の受付部をさらに備えてもよい。
【００３２】
図２から図５は、治具１００の一例を概略的に示す。図６は、治具１００の内部の電気的な接続関係を概略的に示す。ここでは、受付部２３０として、ジャック２３２及びジャック２３４と、孔２４２及び孔２４４とを有し、受付部３３０として、ジャック３３２及びジャック３３４と、孔３４２及び孔３４４とを有する場合を例示する。図２は、治具１００の斜視図である。図３は、治具１００の正面図である。図４は、治具１００の上面図である。図５は、治具１００の側面図である。
【００３３】
口金２１０は、第１口金の一例であってよい。ソケット２２０は、第１ソケットの一例であってよい。口金３１０は、第２口金の一例であってよい。ソケット３２０は、第２ソケットの一例であってよい。
【００３４】
ジャック２３２とジャック３３２とは対向する位置に配置されてよい。ジャック２３４とジャック３３４とは対向する位置に配置されてよい。
【００３５】
灯具５００を点検する場合、点検対象の灯具５００に治具１００が取り付けられ、かつ、蛍光灯６００がソケット２２０及びソケット３２０に取り付けられてよい。点検対象の灯具５００に治具１００を取り付ける場合、伸縮部４１０の伸縮によって、治具１００の長さが調整されてよい。
【００３６】
そして、例えば、ジャック２３２とジャック３３２とにケーブルを接続して、当該ケーブルに対して電圧計を用いることによって、灯具５００による供給電圧が測定されてよい。また、例えば、ジャック２３４とジャック３３４とにケーブルを接続して、当該ケーブルに対して電圧計を用いることによって、灯具５００による供給電圧が測定されてよい。オシロスコープを用いることによって各種測定が実行されてもよい。
【００３７】
また、ソケット２２０及びソケット３２０に蛍光灯６００を取り付けた状態で、孔２４２及び孔２４４の少なくともいずれかに対して電流プローブを挿入して電線２５０を取り囲むことによって、又は、孔３４２及び孔３４４の少なくともいずれかに対して電流プローブを挿入して電線３５０を取り囲むことによって、灯具５００による供給電流が測定されてよい。
【００３８】
図７は、治具１００の使用例を概略的に示す。図７は、スタータ式の灯具５００に治具１００を取り付けた場合の例を示す。なお、接続ピン２１２と接続ピン２１４、ソケット穴２２２とソケット穴２２４、ジャック２３２とジャック２３４、孔２４２と孔２４４、接続ピン３１２と接続ピン３１４、ソケット穴３２２とソケット穴３２４、ジャック３３２とジャック３３４、及び、孔３４２と孔３４４は、説明のために上下方向にずらして図示しているが、上下方向の位置は一致していてよい。
【００３９】
スタータ式の灯具５００は、接続ピン２１２及び接続ピン３１２と、接続ピン２１４及び接続ピン３１４とのいずれか一方がグローランプ５１４に電気的に接続され、他方が電源５１０及び安定器５１２に電気的に接続される。図７は、接続ピン２１２及び接続ピン３１２がグローランプ５１４に電気的に接続され、接続ピン２１４及び接続ピン３１４が電源５１０及び安定器５１２に電気的に接続されている例を示す。
【００４０】
この場合、例えば、ジャック２３４及びジャック３３４に接続したケーブルに電気測定器を用いることによって、安定器５１２による供給電圧などを測定することができる。また、孔２４４及び孔３４４の少なくともいずれかに対して電流プローブを挿入することによって、安定器５１２による供給電流を測定することができる。
【００４１】
図８は、治具１００の使用例を概略的に示す。図８は、ラピッド式又はインバータ式の灯具５００に治具１００を取り付けた場合の例を示す。なお、接続ピン２１２と接続ピン２１４、ソケット穴２２２とソケット穴２２４、ジャック２３２とジャック２３４、孔２４２と孔２４４、接続ピン３１２と接続ピン３１４、ソケット穴３２２とソケット穴３２４、ジャック３３２とジャック３３４、及び、孔３４２と孔３４４は、説明のために上下方向にずらして図示しているが、上下方向の位置は一致していてよい。
【００４２】
この場合、例えば、ジャック２３２及びジャック３３２に接続したケーブルに電気測定器を用いることによって、安定器５１２による供給電圧などを測定することができる。また、例えば、ジャック２３４及びジャック３３４に接続したケーブルに電気測定器を用いることによって、安定器５１２による供給電圧などを測定することができる。また、孔２４２、孔２４４、孔３４２及び孔３４４の少なくともいずれかに対して電流プローブを挿入することによって、安定器５１２による供給電流を測定することができる。
【００４３】
従来の蛍光灯灯具の安定器の点検は、灯具を分解することによって行われていたが、灯具の分解には、法令により資格が必要であり、特に大型の灯具では複数人で実施すること、及び作業時間を要することなどの制約があった。また、従来は、蛍光灯が取り外された状態で点検が行われており、蛍光灯が実際に電力を消費している状態での点検が行われていなかった。
【００４４】
それに対して、本実施形態に係る治具１００によれば、灯具を分解することなく、灯具の安定器の点検を行うことができる。また、本実施形態に係る治具１００によれば、無負荷での灯具５００の電気測定を実行できるとともに、有負荷での灯具５００の電気測定を実行することができる。また、本実施形態に係る治具１００によれば、スタータ式、ラピッド式及びインバータ式などの方式の異なるいずれの灯具５００であっても、電気測定を可能とすることができる。また、電流計、電圧計及びオシロスコープなどの電気測定器による測定を可能とすることによって、灯具５００による供給電圧及び供給電流の測定、電流の波形観測、力率の観測、時間領域及び周波数領域での解析などの様々な解析を可能とすることができる。
【００４５】
上記実施形態では、直管型の蛍光灯灯具を点検する治具１００を主に例に挙げて説明したが、これに限らない。治具１００は、丸型の蛍光灯灯具を点検するときに用いられるものであってもよい。この場合、治具１００は、丸型の蛍光灯灯具のソケットに取り付け可能な口金と、丸型の蛍光灯を取り付け可能なソケットと、口金とソケットとを電気的に接続する電線と、電気測定機器のプローブを電線に電気的又は磁気的に接続させるためにプローブを受け付けるプローブ受付部とを備えてよい。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４７】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００４８】
１００  治具、２００  部材、２１０  口金、２１２  接続ピン、２１４  接続ピン、２２０  ソケット、２２２  ソケット穴、２２４  ソケット穴、２３０  受付部、２３２  ジャック、２３４  ジャック、２４２  孔、２４４  孔、２５０  電線、３００  部材、３１０  口金、３１２  接続ピン、３１４  接続ピン、３２０  ソケット、３２２  ソケット穴、３２４  ソケット穴、３３０  受付部、３３２  ジャック、３３４  ジャック、３４２  孔、３４４  孔、３５０  電線、４００  保持部、４１０  伸縮部、５００  灯具、５１０  電源、５１２  安定器、５１４  グローランプ、５２０  ソケット、５３０  ソケット、６００  蛍光灯
【図１】
0006501728.tif 000002
【図２】
0006501728.tif 000003
【図３】
0006501728.tif 000004
【図４】
0006501728.tif 000005
【図５】
0006501728.tif 000006
【図６】
0006501728.tif 000007
【図７】
0006501728.tif 000008
【図８】
0006501728.tif 000009